(57)【要約】【課題】  本発明の目的は、バイザー付き若しくはバイザー無しの野球帽であって、野球帽を被る人の額か後頭部にクラウン部の切断や調整機構が無く、見た目が良く逆方向に被ることができる野球帽を提供する。【解決手段】  クラウン部の底部に沿って調整可能な頭周り部を有する調整可能な野球ないしはスポーツタイプの帽子を開示する。バイザー部はクラウン部の正面又は後頭部の部分に取り付けられる。調整用留め具はクラウン部の頭周り部のサイズを変更するために、クラウン部の各こめかみ部分の近くに備え付けられる。調整用留め具は被る人に併せて調整されたら隠れるか、若しくは、クラウン部の外部に取り付けられる。一実施例においては、前記調整用留め具は、その調整用留め具の一方を、隣接する三角部の一部を縫いつけないままにすることによりできる取り外し可能なフラップ部に埋め込むか、若しくはそれから出すことによって形成される。もう一方の調整用留め具はバイザー部分若しくは前方部の近くか反対側に位置する隣接するクラウン部に取り付けられる。
2005520064.tif 000002
【特許請求の範囲】
【請求項１】
クラウン部とバイザー部とを有し、
前記クラウン部はその底部が開いていて、頭周り部を形成しており、
前記クラウン部は左右対称に配置された両脇若しくはこめかみ部、後方部、前方部、天井部及び前記頭周り部に一致する底部を有し、
前記バイザー部は前記底部に取り付けられ、おおよそ前記各両脇若しくはこめかみ部に達するまでの前記前方部内に位置し、
前記クラウン部は前記頭周り部から前記天井部へ向かう前記クラウン部の中間部まで左右対称に配置された２組の縁を有し、その前記２組の縁は、前記２組の各縁が前方の縁と後方の縁となるように、おおよそ前記前方部と前記両脇若しくはこめかみ部の間にある各境界線内に、若しくはその近くに位置し、
前記２組の縁が位置する各境界線は、前記前方部と前記クラウン部の前記両脇若しくはこめかみ部の間、ユーザの正面にバイザー部を前方に向けて被ると、前記バイザー部に近く、また、ユーザのおおよそ目の外側とユーザの頭の両脇にあるおおよそ耳の間に位置し、
前記２組の縁の各前方の縁にフラップ部を有し、そのフラップ部は、前記前方の縁から対応する前記各こめかみ部まで広がり、前記フラップ部が少なくとも前記頭周り部の領域と重なる領域を持って前記２組の縁の各後方の縁と重なっており、
接触により調整可能な少なくとも一組の取り付け具を有し、各接触により調整可能な取り付け具は接触により取り付け可能な第１のエレメントと、接触により取り付け可能な相補的な第２のエレメントとを有し、前記第１のエレメントと前記第２のエレメントは、前記第１のエレメントおよび前記第２のエレメントに上から圧力を加えることによる単純な接触により締まった状態になることができ、前記締まった状態は、前記第１のエレメントに逆の圧力を加えて前記第２のエレメントから取り外すことにより締まらない状態にすることができ、
前記接触により取り付け可能な第１のエレメントは、好ましくは常に、前記各フラップ部の内側の表面内に取り付けられ、前記内側の表面にある前記取り付け具の少なくとも一部分が前記クラウン部の前記頭周り部の領域に重なることができるような領域内に位置し、
前記接触により取り付け可能な第２のエレメントは、好ましくは常に、前記クラウン部の前記頭周り部の外側の表面内にあり、前記バイザー部の部分に近く、またユーザの耳の上の範囲内にあり、少なくとも前記外側の領域にある前記取り付け具の部分は前記相方のフラップ部が重なるような領域に配置された、調整可能な帽子。
【請求項２】
少なくとも１組の接触により調整可能な前記取り付け具が、フックとループ型のファスナーからなる請求項１に記載の調整可能な帽子。
【請求項３】
前記クラウン部の前記頭周り部が実質的に円筒型の覆い部を有している請求項１または２に記載の調整可能な帽子。
【請求項４】
前記フラップ部が前記実質的に円筒型の覆い部の部分に位置している請求項３に記載の調整可能な帽子。
【請求項５】
前記クラウン部が、実質的に半球状の帽体を形作る複数の部片若しくはパッチを有し、前記帽体は、前記頭周り部に実質的に円筒型の底部を有している請求項１から４のいずれか１項に記載の調整可能な帽子。
【請求項６】
前記複数の部片若しくはパッチが板よりなる請求項５に記載の調整可能な帽子。
【請求項７】
前記部片若しくはパッチがおおよそ三角形またはパイの形をした単一体よりなり、その３辺のうち２辺が、左右対称に凸形状をしており、隣接する他の三角形またはパイの形をしたパッチ若しくは部片の単一体がその左右対称に凸状の側面で繋ぎ合わさり、それによりこの左右対称な凸形状の両脇で形成された頂上が共通の点で一致し、帽子の天井部において頂点を形成する請求項５に記載の調整可能な帽子。
【発明の詳細な説明】
【技術分野】
【０００１】
本発明は、野球若しくはスポーツタイプの帽子、特に調整部品が一般的に帽子の両側に対称的に存在する伝統的なぴったりと合うように作られた調整可能な野球帽に関するものである。
【背景技術】
【０００２】
野球若しくはスポーツタイプの帽子はいくつかの方法で手に入る。伝統的な方法では、帽子のクラウン部がいろいろなサイズで作られ、ユーザは自分の頭に合った帽子を選ぶ。この方法の不都合な点は、異なった頭のサイズに対応できるように、売り手が多くの異なったサイズの帽子を在庫に揃えなければないことである。この伝統的な方法の長所は、帽子のクラウン部の全体が生地でできていて、帽子を調整する必要がないことである。
【０００３】
最近では、“全対応型帽子”がとても流行している。一対のプラスチックストラップ若しくはＶｅｌｃｒｏ（登録商標）ストラップで、一方がフック形状ストラップでもう一方がリング状ストラップである調整機構が野球帽の後方部に取り付けられている。その調整機構の位置を変えることにより、クラウン部の円周を変えて帽子のサイズが調整される。
【０００４】
この方法にはいくつかの不都合がある。まず一つに、前述の調整機構のストラップが取り付けられるクラウン部の後方部に裁断若しくは細長い切り目部分が必要である。二つ目に、野球帽を後ろ向きに被ることが普及している。すなわち、ひさし又はバイザーを被る人の正面ではなく後頭部に持ってくるのである。こうした場合、ストラップの細長い部分が位置する頭の部分は気象状況にさらされたままである。このような伝統的な調整方式の帽子を後ろ向きに被ることは帽子の生地が帽子を被る人の額に寄りかかっており、美的にも感じがよく、また、快適である。しかし、“全対応型帽子”でそうすると、調整ストラップは帽子を被る人の額にあたる。これは見苦しく、また不快である。
【発明の開示】
【発明が解決しようとする課題】
【０００５】
本発明の目的は、バイザー付き若しくはバイザー無しの野球帽であって、野球帽を被る人の額か後頭部にクラウン部の切断や調整機構が無く、見た目が良く、逆方向に被ることができる野球帽を提供することにある。
【０００６】
本発明の別の目的は、バイザー付き若しくはバイザー無しの野球帽であって、クラウン部の裁断部で調整可能であるが、調整機構がクラウン部の後部には無い野球帽を提供することにある。
【０００７】
本発明のさらに他の目的は、バイザー付き若しくはバイザー無しの野球帽であって、ユーザに帽子が被られたときに、その帽子の両脇にそれぞれ左右対称に一対の調整用留め具を備える野球帽を提供することにある。
【０００８】
本発明のさらに他の目的は、バイザー付き若しくはバイザー無しの野球帽であって、ユーザに帽子が被られたときに、見えないように隠される、２つ若しくはそれ以上の調整用留め具を備える野球帽を提供することにある。
【課題を解決するための手段】
【０００９】
本発明によれば、望ましくは複数の三角形部分によりその頂上部に頂点が形作られ、また１つ若しくはそれ以上の調整部をその低い部分に備えるクラウン部からなる調整可能な帽子が提供される。バイザー部はそのクラウン部の前方部若しくは後方部に備え付けることができる。少なくとも２つ、時には４つの、２部品構成の調整用留め具が、クラウン部の底部のサイズを変更するためにクラウン部の各こめかみ部に近い位置に取り付けられる。  
【００１０】
好適な実施例では、調整用留め具は帽子を被る人に調整されると、見えないか、ほぼ見えなくなる。これは、調整用留め具のうち１つの部品を、隣接するパイ状の布若しくは三角形部分の全部若しくは一部を帽子の両側において縫わないままで残すことによってできる取り外し可能なフラップに、若しくはそのフラップから埋め込むことにより達成される。その調整用留め具のもう一方の部品は、バイザー部と若しくは額の領域に近い隣接するクラウン部に取り付けられる。また、その調整用留め金は、帽子の反対側の側面にも取り付けられる。
【００１１】
２部品構成の調整用留め具は、野球帽として良く知られた形である、一対の真っ直ぐな若しくは曲がったプラスチックストラップとすることができ、これは一方が雄コネクタ部を有し、もう一方が雌コネクタ部を有する。雄雌コネクタはこうした種類の帽子に一般的に使われるコネクタに比べ密接し、及び／又は幅が狭い。その代わりに、この調整用留め具は、当業界でよく知られている一対のＶｅｌｃｒｏ（登録商標）ストラップ、バックル付きの布製ストラップ、フック、ねじ、ピン、クリップ、結び目若しくは類似するファスナー又は粘着性の若しくは伸縮性のストラップでもよい。
【発明を実施するための最良の形態】
【００１２】
図１〜３は本発明の調整可能な帽子１０の１つの実施例を示す。この帽子はクラウン部１２を有し、また、このクラウン部１２の前方部１６又は後方部１８に固定されたひさし部若しくはバイザー部１４を備えていてもよい。図２及び図３から分かるように、後方部１８は伝統的な野球帽のように見える。例えば、切り込み又は目に見える調整機構若しくは留め具のない頑丈な生地が一面に存在する。
【００１３】
好適な実施例では、クラウン部は、綿、ウール、合成繊維の複数の三角形若しくはパイ形の部片２０により構成される。１つ又はそれ以上の例外を除いて、三角形のクラウンの部片２０は三角形の部片どうしで縫い上げられ、図示されるように通常ボタン２３により隠れる頂点２２を形成する。三角形の部片の底辺は帽子１０の頭周り部２４を形成する。
【００１４】
図２は本発明の改良された調整機構若しくは留め具３０を示すもので、クラウン部の三角形の部片３６にあるフラップ部３４に位置する第１のプラスチックストラップ３２を有する。第２の留め具の部品はクラウン部と接合するバイザー部１４若しくはその近くのクラウン部を形成する調整用三角形の部片に位置するフラップ部３５にある第２のプラスチックストラップ３８を有する。好都合なことに、点線で示すように、第１及び第２のプラスチックストラップは帽子のすべり４０の中に縫い込まれ若しくは固定される。前記プラスチックストラップ３２と３８は、従来若しくは従来の１又はそれ以上の場面において、広く、及び／又は幅が狭く、及び／又は所望の任意の幾何学形状を形成するように湾曲している。帽子のサイズは前記ストラップ３２と３８が共に取り付けられたときの重なり具合によって決められる。
【００１５】
従来の“全サイズ対応”型とは異なり、調整用留め具は帽子の最後部にはない。むしろ調整用留め具は一般に帽子の両脇か帽子１０のこめかみ片２６の任意の側又は両脇にある。更に、好適な実施例では、典型的な“全サイズ対応”型帽子の場合には必要なクラウン部の切れ込み無しで、調整用留め具は通常全体若しくは一部分が隠れている。好適な実施例では、２つの調整用留め具があり、１つの調整用留め具は、帽子の各側、つまりひさし部若しくはバイザー部１４がクラウン部１２に接合するところに近い若しくは反対側のクラウン部のこめかみ部のいずれかの側にある。
【００１６】
図４及び図５と同様に図２に示されるとおり、留め具３０は図１及び３に示すように、帽子を被る人のサイズに調整されたとき、それら調整用留め具は事実上見えなくなるように備えられている。前記フラップ部３４にある前記第１の部品３２はストラップないし調整用留め具３８の第２の部品に取り付けられたときに見えなくなる。好適な実施例では、フラップ部３４はこめかみ片３６の全体若しくは一部分を隣接する三角形又はパイ形状部に、縫製しないままにすることにより形成される。そのパイ形若しくは三角形の各部分は調整用留め具の調整の動きに合わせることにより、そのパイ形状若しくは三角形状を変更する。
【００１７】
図４は本発明の別の実施例を示す。この実施例では、留め具３０は１つがフックストラップであり、もう１つがループストラップである第１及び第２のＶｅｌｃｒｏ（登録商標）ストラップ４２と４４を有している。帽子の円周、つまり帽子のサイズは前記ストラップ４２と４４の重なり具合によって調整される。
【００１８】
図４はまた、本発明の他の特徴を示す。１つ又はそれ以上のＶｅｌｃｒｏ（登録商標）短冊片若しくはパッチ４６及び４８は前記フラップ部３４及び隣接する前記フラップ部３５に沿って備えることができる。これらの短冊片若しくはパッチは一旦ユーザのために調整用留め具が調整されたら、取り外し可能な部分どうしを一緒につなげることを可能にする。Ｖｅｌｃｒｏ（登録商標）の短冊片若しくはパッチ４２及び４４は直線をなさなくて良い。これら短冊片若しくはパッチは円形、四角形若しくは所望の形状とすることができる。
【００１９】
図５は本発明の他の実施例を示す。ここで、留め具５０はより自然に帽子１０の円周の輪郭に沿うようにわずかな湾曲若しくは精密な形状をしたコネクタ５２と５４により構成される。コネクタ５２の一端はクラウン部の三角形３６の収納部にはまる。同様にして、コネクタ５４の端５６はクラウン部１２の中に収まる。
【００２０】
この実施例では、前記クラウン部の三角形部片ないしこめかみ部３６のひだ部３４は頂点２２まで広がっている。Ｖｅｌｃｒｏ（登録商標）短冊片５８及び６０はフラップ部３４と隣接するクラウン部の三角部分との合わせ面を提供する。前記コネクタ５２と５４の幅は好ましくは一般的に“全サイズ対応”型の帽子に見られる単一のコネクタ部の幅よりも狭いということに留意すべきである。また、コネクタ５２と５４の埋め込まれた端部もその単一コネクタ部より幅を狭くすることができる。当然のことながら、他の留め具若しくは調整機構がこれまで本発明の要約で述べてきたように利用できる。さらに、調整用留め具は隠れているのが望ましいものの、クラウン部の外側で見える部分に備えられても良い。
【００２１】
本発明の他の実施例を図６Ａと６Ｂに示す。図６Ａでは、調整機構６０は三角形こめかみ片３６の内側のフラップ部３４と前方部１６にそれぞれ取り付けられた第１の一対のコネクタ６２と６４を有する。第２の一対のコネクタ６２（図示しない）と６４は、帽子１０のもう一方の側面に備えられる。ここで、相方コネクタ６４は帽子１０の前方部１６の外側に取り付けられる。例えば、コネクタ６４は雄コネクタであり、コネクタ６２は雌コネクタ若しくはこの逆の関係となる。コネクタ６２と６４はプラスチック、金属、布、伸縮材料、粘着材料、Ｖｅｌｃｒｏ（登録商標）、若しくはストラップとバックル、若しくはフック構造により構成される。前述のとおり、もし、プラスチック、布、金属、粘着材料、伸縮材料若しくはＶｅｌｃｒｏ（登録商標）が用いられれば、どんな形状寸法でも形成することができ、さらに、ストラップだけに限定されない。例えば、受け入れ側のプラスチック、布、金属、粘着材料、伸縮材料、又はＶｅｌｃｒｏ（登録商標）は、ストラップ６２が容易に取り付けられるように円形か四角形ないしはどんな所望の形状寸法にでもすることができる。他の留め具や調整機構は本発明の要約の部分で説明したように採用される。
【００２２】
図６Ｂは２つの別々のコネクタ６４の代わりに、１つのプラスチック、布、金属、伸縮材料、粘着材料若しくはＶｅｌｃｒｏ（登録商標）からなる短冊片６６がバイザー部１４が接合している部分の帽子のブリム部に沿って帽子１０の前方部に埋められているという以外は図６Ａの実施例に似ている。中心領域６８は前方部１６の布に封じ込まれている。端部７０と７２は一対のコネクタ６２に調整可能にかみ合わさる。もちろん、他のタイプの調整用留め具も採用できる。
【００２３】
本発明の他の実施例は図７Ａ，７Ｂ、及び７Ｃに示す。ここに、調整用留め具８０はＶｅｌｃｒｏ（登録商標）の裏面８３を備えているストラップ８２を含み、頭周り部２４に沿ってクラウン部の外側に取り付けられる。ストラップ８２の末端部８４もクラウン部の頭周り部２４に沿ってバイザー１４がクラウン部に接合するところまで伸びる。末端部８４はバイザーのすぐ上部にある前方部１６にあるＶｅｌｃｒｏ（登録商標）の相方のパッチ８６に取り付けられる。もちろん、バイザーは帽子の後方部に備え付けられることができ、またＶｅｌｃｒｏ（登録商標）のパッチ８６は末端部８４にあるＶｅｌｃｒｏ（登録商標）８３とかみ合わさるのに適したどんな形状寸法をとることができる。ストラップ８２は野球帽の自然な湾曲若しくは調整用留め具の調整動作に適応できるようにそれ自体にわずかな湾曲を備えている。この実施例は２つの留め具機構が月桂冠の形状を形作れるように、各ストラップ８２が月桂樹の形であるものも考慮している。本実施例はクラウン部２４の頭周りに設置されたバックル（ストラップの留まっていない端がすべりの中に埋め込まれるようにするために、バックルを伝統的な調整可能な帽子のクラウン部に設置する方法に似ている）及びストラップ８４の末端が前方部１６の中に固定されることも考慮している。
【００２４】
他の実施例の調整用留め具９０は図８Ａと８Ｂに示されている。調整用留め具９０は前方部１６とこめかみ部の上にあるれんげ部２０との間にあるつなぎ目の片方の端に近く又は沿って固定されたフラップ部９２を含んでいる。末端９６の裏側はこめかみ部２０に設置される相方のＶｅｌｃｒｏ（登録商標）のパッチ９８と調整可能に組み合わさるＶｅｌｃｒｏ（登録商標）のパッチ（図示されない）が備わっている。またしても、Ｖｅｌｃｒｏ（登録商標）の継ぎ９８はどんな形状寸法にもなることができる。加えて、フラップ部９２は、三角形に図示されているが、先を切り取った三角形、楕円形、長方形、その他Ｖｅｌｃｒｏ（登録商標）の継ぎとれんげ部２０をつなぎ合わせるのに適したどんな形状寸法のものとすることができる。
【００２５】
図９Ａと９Ｂは調整機構１００を有する調整可能な帽子１０の他の実施例を示す。ここに、その裏側に一部にＶｅｌｃｒｏ（登録商標）の接着部（図示しない）を備えたれんげ部２０がフラップ部１０２を構成している。これは、ひさし部１４の上の前方部１６に備えられたＶｅｌｃｒｏ（登録商標）のパッチ１０４と結合する。もちろん、バイザー部は帽子の後方部に位置することもでき、また、パッチ１０４は他の幾何学的形状とすることもできる。
【００２６】
図１０Ａと図１０Ｂは、さらに、調整用留め具１１０を有する調整可能な帽子１０の他の実施例を示す。調整用留め具１１０は、前方部１６と三角形こめかみ片３６との間の継ぎ目に、又はその近くに備え付けられたフラップ部１１２を含んでいる。フラップ部１１２は、三角形の先を切り取った形状となっている。しかし、三角形、楕円形、長方形もしくは他のどんな幾何学的な形状でも、れんげ部２０とＶｅｌｃｒｏ（登録商標）のパッチを結合させるのに適しているどんな形状としてもよい。フラップ部１１２の裏側（図示しない）にあるＶｅｌｃｒｏ（登録商標）はれんげ部２０にあるＶｅｌｃｒｏ（登録商標）のパッチ（図示しない）と結合する。この実施例は図１０Ａ及び１０Ｂに示すように、フラップ部１１２がそれぞれ翼の形となっているものも考慮している。
【００２７】
図１１は調整用留め具１２０を有する調整可能な帽子１０の他の実施例を示す。ストラップ１２２は、縫いつけられるなどして、帽子１０の前方部１６に固定される。バックル１２４は、三角形こめかみ片３６、好ましくはその裏側に沿って取り付けられている。三角形こめかみ片３６は、隣接するれんげ部２０に、継ぎ目１２６に沿って取り付けられている。三角形こめかみ片３６は、その反対側の端１２８の長さ方向の少なくとも一部が、図７Ａ〜７Ｃに図示するのと同様に、取り付けられないままになっている。
【００２８】
ストラップ部１２２の自由端１３０（点線で表示）はバックル１２４を通り、ユーザが帽子を合うように調整するのを可能にする。その自由端がより多くバックルを通り抜けることにより、クラウン部のれんげ部が帽子の前方部に向かってより多く突き出し、それにより、帽子１０の頭周り部２０をより小さくする。ストラップ１２２の自由端１３０はバックル１２４から、裏側への出口を用意することにより、見えなくすることができる。その代わりに、バックルの丁度上のところに、小さな垂直方向の切れ目が三角形こめかみ片３６に作られ、その自由端が帽子１０のすべりに沿って、頭周り部２０の内側を通り抜けられるようにすることができる。
【００２９】
どんな形状のバックルでも、本実施例、及び、この明細書に記載される他の実施例に応用できる。例えば、バックル１２４はピボット軸を有するタイプであり、それが開いたときに、ストラップ１２２がそのバックルを通れるようにする。適当な状態に調整されたら、そのバックルはストラップが定着するように締め付けるために軸方向に下向きに回転する。もう一つの方法として、バックルは、ストラップ上の穴に舌状片を結合させるにより、「ベルトのバックル」のタイプにすることもできる。他のタイプのバックルは、通常、入口と出口を持つ円形リングを有している。締め付けられた摩擦、すなわち摩擦力がストラップを定位置に保つ。もちろん他のバックルも採用することができる。
【００３０】
本明細書中に記載したすべての実施例は、ストラップを有しており、そのストラップは布、革、人工皮革、プラスチック、若しくは他の素材により作られることができる。
【００３１】
本発明はこの明細書に記載した特定のコネクタ若しくは調整機構に限られるものではない。例えば、バックル、かみ合わせ型の留め具、粘着材料、ねじ、ボルト、フック、ピン、クリップ、ボタン、結び目、伸縮性ないし弾性バンドのコネクタなど、他のタイプのコネクタ機構を用いることができる。また、本発明は、野球帽もしくはスポーツタイプの帽子に限定されない。バイザー部のない帽子など、他のタイプの帽子やヘルメットにも等しく応用することができる。さらに、電子機器、メディア、オーディオ、光学装置などのアクセサリや機器などが留められたり、取り付けたり、置くことが出来たり、組み込まれたり、装着されたりすることができるように、電子機器、メディア、オーディオ、眼鏡などのアクセサリや機器を取り付けたり、保持したり、含めることができる帽子にも当てはめることができる。ラジオ、スピーカ、電話、ポケットベル、ＰＤＡ、ヘッドセット、ヘッドフォン、アンテナ、ビューファインダー、スクリーン、磁石、バッテリ、マイク、カメラ、センサ、コントローラ、遠隔制御装置、耳栓、再生及び録音装置、映画、カード、ゲーム、コンピュータ、カセット、ディスク、眼鏡、時計、コンパス、ライト、電話、テレビ、コネクタ、ジャック、プラグなどが直接帽子の一部になったり、取り付けられたり、連結されたりすることによって帽子の一部にすることができる。留め具装置はどんな電子機器、メディア、オーディオ、光学装置を挟むのにも最適である。なぜならば、各留め具装置は通常両耳と両目との間に、そして口の上に設置されているからである。人はバイザー部分の近くもしくはその中に電子機器を使い、新しい種類の「手ぶらの」帽子を被る機会がある。この留め具装置はまた旗竿、ステッキ、笛、鍵、宝石類、メーキャップ用具、ライター、救急用具品、カッター、カード、容器、鏡、文房具、ティー、釣り針、網、道具、用具、食べ物、衣服、おしゃぶり、その他どんな物を支持するのにも利用することができる。
【図面の簡単な説明】
【００３２】
【図１】本発明の調整可能な帽子の側面図である。
【図２】調整用留め具構造の１つを表している本発明の調整可能な帽子の側面図である。
【図３】図１に示す矢印の方向からみた図１に示す帽子の背面図である。
【図４】別の調整用留め具構造を表している本発明の調整可能な帽子の側面図である。
【図５】更に別の調整用留め具構造を表している本発明の調整可能な帽子の側面図である。
【図６Ａ】更に別の調整用留め具構造を表している本発明の調整可能な帽子の正面立面図である。
【図６Ｂ】更に別の調整用留め具構造を表している本発明の調整可能な帽子の正面立面図である。
【図７Ａ】更に別の調整用留め具構造を表している本発明の調整可能な帽子の側面図である。
【図７Ｂ】更に別の調整用留め具構造を表している本発明の調整可能な帽子の側面図である。
【図７Ｃ】更に別の調整用留め具構造を表している本発明の調整可能な帽子の側面図である。
【図８Ａ】本発明の調整可能な帽子の調整用留め具構造の他の実施例の図である。
【図８Ｂ】本発明の調整可能な帽子の調整用留め具構造の他の実施例の図である。
【図９Ａ】本発明の調整可能な帽子の他の実施例の図である。
【図９Ｂ】図９Ａの調整用留め具構造の詳細図である。
【図１０Ａ】本発明の調整可能な帽子の他の実施例の図である。
【図１０Ｂ】図１０Ａの実施例の調整用留め具構造の詳細図である。
【図１１】本発明の調整可能な帽子の別の実施例の図である。
【図１】
2005520064.tif 000003
【図２】
2005520064.tif 000004
【図３】
2005520064.tif 000005
【図４】
2005520064.tif 000006
【図５】
2005520064.tif 000007
【図６Ａ】
2005520064.tif 000008
【図６Ｂ】
2005520064.tif 000009
【図７Ａ】
2005520064.tif 000010
【図７Ｂ】
2005520064.tif 000011
【図７Ｃ】
2005520064.tif 000012
【図８Ａ】
2005520064.tif 000013
【図８Ｂ】
2005520064.tif 000014
【図９Ａ】
2005520064.tif 000015
【図９Ｂ】
2005520064.tif 000016
【図１０Ａ】
2005520064.tif 000017
【図１０Ｂ】
2005520064.tif 000018
【図１１】
2005520064.tif 000019
【国際調査報告】
2005520064.tif 000020
2005520064.tif 000021